(57)【要約】      （修正有）【課題】クッション性が良好で、かつ重量が軽く、吸湿拡散性が高くエコロジーに沿った素材を使用したクッション体を提供する。【解決手段】クッション体の袋体１に羽毛Ｆと粒綿状のポリエステル綿Ｃを混合して中材として充填する。一般的なポリエステル中綿はシート状になっており、側生地との縫い合せにより若干の上下方向の動きしかないが、粒綿状のポリエステル綿は小さなボール形状になっているため、羽毛のように側生地に囲まれた小部屋の中で上下左右自在に動く。よって、これと羽毛を混合したクッション体の場合は身体の動きに合わせて中材が追従するので、ポリエステル中綿に比べフィット性の高いクッション体が実現できる。【選択図】図１
0003154681.tif 000002
【実用新案登録請求の範囲】
【請求項１】
中材として羽毛と粒綿状のポリエステル綿を混合して充填したことを特徴とするクッション体。
【請求項２】
羽毛としてスモールフェザーを採用した請求項１記載のクッション体。
【請求項３】
羽毛としてスモールフェザーおよびダウンを採用した請求項１記載のクッション体。
【請求項４】
クッション体を上下２層に区画し、上層には中材として羽毛と粒綿状のポリエステル綿を混合して充填し、下層には中材として羽毛を充填した請求項１から３のいずれかに記載のクッション体。
【考案の詳細な説明】
【技術分野】
【０００１】
この考案は寝具類やインテリアクッション類、被服類に使用されるクッション体に関し、より詳細にはクッション体に充填する中材に関する。
【背景技術】
【０００２】
寝具類やインテリアクッション類においてクッション体の中材として低反発ウレタン素材やマイクロビーズ素材を使用することが広く行われていた。
【０００３】
また、廉価版のポリエステル素材も中材に使用されている。
【０００４】
一方、羽毛中、比較的安価な素材としてスモールフェザーが存し、これも中材として使用されている。
【先行技術文献】
【特許文献】
【０００５】
【特許文献１】特開２００４−１８０９０３公報
【特許文献２】特開２００２−９５５６６公報
【考案の概要】
【考案が解決しようとする課題】
【０００６】
前記の従来技術のうち、低反発ウレタン素材は独特の弾力性をもつが、重量が重く取扱いが面倒であるという問題があった。また、ポリエステル素材は弾力性が乏しく、使用しているあいだにへたりが出てくるという問題があった。
【０００７】
一方、スモールフェザーはやわらかな弾力性を有するが、羽軸を持つ関係から単位重量が重く、それを使用したクッション体の重量が嵩むといった問題があった。
【課題を解決するための手段】
【０００８】
この考案は従来のクッション体の問題点に鑑みて創作されたものであり、中材として羽毛と粒綿状のポリエステル綿を混合して充填したことを特徴とする。
【０００９】
本明細書において「羽毛」とはダウンとフェザーを総称した意味で使用しており、ここでは第２考案として羽毛としてスモールフェザーを採用したものを、第３考案として羽毛としてスモールフェザーおよびダウンを採用したものを開示する。
【００１０】
また、本明細書において「粒綿状のポリエステル綿」とはシート状のポリエステル綿をほぐして直径数ミリ程度に丸まった小さなボール形状にしたものを指す意味で使用している。
【考案の効果】
【００１１】
一般的なポリエステル中綿はシート状になっており、側生地との縫い合せにより若干の上下方向の動きしかないが、粒綿状のポリエステル綿は小さなボール形状になっているため、羽毛のように側生地に囲まれた小部屋の中で上下左右自在に動く。よって、これと羽毛を混合したこの考案のクッション体の場合は身体の動きに合わせて中材が追従するので、ポリエステル中綿に比べフィット性の高いクッション体が実現できる。
【００１２】
また、羽毛も粒綿状のポリエステル綿も吸湿拡散性が高く、これらを混合して中材に使用することにより年間を通じて爽やかに使用できるクッション体とすることができる。
【００１３】
一方、前記したようにスモールフェザーは単位重量が重く、それを使用するとクッション体の重量が嵩むが、この考案によれば単位重量が軽い粒綿状のポリエステル綿と混合することによりクッション体の重量を軽減することが可能となる。例えば、中材としてスモールフェザーを１００％充填した約３．８ｋｇのクッション体は、スモールフェザー１．３ｋｇと粒綿状のポリエステル綿１．３ｋｇを充填することにより同等の膨らみを得ることができるが、この場合は重量が１．２ｋｇ軽減されることとなる。
【００１４】
また、この考案のクッション体によれば、充填される羽毛と粒綿状のポリエステル綿の比率を変化させることにより、顧客の好みにあわせたクッション性を付与することが可能となる。例えば、重量比においてスモールフェザーを７０％、粒綿状のポリエステル綿を３０％とすると固めのクッション体が、スモールフェザーを３０％、粒綿状のポリエステル綿を７０％とすると柔らかめのクッション体が実現される。
【００１５】
本来天然素材である羽毛においてはその機能は過去も現在もさしたる変化はない。しかしながら、日々進化し続けるポリエステル綿には、例えば抗菌防臭機能、吸湿放散機能、弾力加工機能などの様々な機能をもつ加工綿が存する。羽毛に対し粒綿状のポリエステル綿を混合したこの考案のクッション体によれば、前記のような機能を有する粒綿状のポリエステル綿を採用することにより、天然素材である羽毛を使用しながら様々な環境に対応できるクッション体が実現可能となる。
【００１６】
ところで、スモールフェザーは、そもそも食肉用に飼育された水鳥の廃棄されていた部分である。また、ポリエステル綿についても、使用済みのペットボトルを回収し、リサイクルする再生ポリエステル綿を使用することや、生産過程に発生する落ち綿を拾い上げて再生することもできる。羽毛に対し粒綿状のポリエステル綿を混合したこの考案のクッション体はこのような資源を再利用することができ、クッション性が良好で、かつ重量が軽いクッション体を低コストで実現できるばかりでなく、エコロジーにも寄与する効果を得られる。
【図面の簡単な説明】
【００１７】
【図１】この考案のクッション体の断面図。
【図２】同上、異なる実施例の断面図。
【考案を実施するための形態】
【００１８】
以下、この考案のクッション体の実施例を添付図面に基づいて説明する。図１はフロアークッションを例にとった実施例を示す図であり、図中符号１はクッション体を構成する袋体であり、例えば綿やタフタなどで構成される側生地と例えば綿織物、綿編物、合繊織物、合繊ニットなどで構成されるカバーからなる。図中符号Ｃは中材となる粒綿状のポリエステル綿、同じくＦは羽毛であり、これらは事前に混合されたものが袋体１内に吹き込み充填される。
【００１９】
前記の羽毛Ｆとしては水鳥の体の下にある小さな羽根であるスモールフェザー単独の他、これにダウンを混合したものが使用される。この実施例においてはスモールフェザーに対するダウンの混合比率は１５％程度を想定している。
【００２０】
図２はこの考案の異なる実施例を示す図である。ここでは、クッション体を構成する袋体１０を区画壁１１により上下２層に区画し、上層の区画１０Ａには中材として羽毛Ｆと粒綿状のポリエステル綿Ｃを混合して充填し、下層の区画１０Ｂには中材として羽毛Ｆを充填している。この実施例のクッション体の場合は、使用者においてクッション体の上下を変えることによりクッション性を変化させることが可能となる。
【００２１】
なお、以上の実施例においてクッション体を構成する袋体の素材は例示であり、ここに記載のものに限られないことはもちろんである。また、クッション体の適用品目としては前記のフロアークッションの他に例えば次のようなものが想定できる。
(1) 寝具類（掛けふとん、敷きふとん、まくら、敷きパットなど）
(2) インテリアクッション類（ベッドクッション、ソファクッションなど）
(3) アウター類（ジャケット、ベスト、ポンチョなど）
(4) その他（スリーピングバッグ、ルームシューズなど）
【符号の説明】
【００２２】
１                袋体
Ｃ                粒綿状のポリエステル綿
Ｆ                羽毛
【図１】
0003154681.tif 000003
【図２】
0003154681.tif 000004